(57)【要約】【課題】    ディスク装置の閉止手段が配設される面とオープンつまみが配設される面を異なるものとする。【解決手段】  オープンつまみ１４により駆動されるレバー２２の先端の突起２２ｂが変換レバー２３の一端の孔２３ｂに係合し、変換レバー２３の他端の駆動爪２３ｃが閉止部品２５の駆動レバー２５ｂに係合する。そして、オープンつまみ１４を押下することにより駆動爪２３ｃが駆動レバー２５ｂを、ねじりコイルバネ２４の付勢力に抗して反時計回りに回動して閉止爪１３を閉状態から開状態に駆動するようにした。【選択図】        図１ 
2005285269.tif 000002
【特許請求の範囲】
【請求項１】
ディスク収納部の蓋体が、装置本体の一側面に設けたヒンジを支点として回動することで開閉するディスク装置において、
前記装置本体の一側面とは異なる他側面に設けた閉止手段と、
前記閉止手段を設けた他側面とは異なる側面に配置され、前記蓋体を閉止から開放するオープンつまみと
を備えたことを特徴とするディスク装置。
【請求項２】
請求項１に記載のディスク装置において、
前記閉止手段は、前記蓋体の側に設けられる閉止リブと前記装置本体の側に設けられる閉止部品とからなり、
前記装置本体の前記閉止部品と前記オープンつまみとを伝達手段で連係し、
前記オープンつまみの操作が、前記伝達手段を介して前記閉止部品に伝えられて前記蓋体を閉止状態から解除する
ことを特徴とするディスク装置。
【請求項３】
請求項２に記載のディスク装置において、
前記伝達手段は、
一端に前記オープンつまみが配設され他端に第２のレバーに係合される第１のレバーと、
前記第１のレバーと係合する一端と駆動爪を有する他端を有し、略中央に回動軸が設けられる第２のレバーとを有し、
前記閉止部品は、
前記閉止部品の軸の周りに、前記閉止リブに係合する閉止爪と、前記駆動爪に係合する駆動レバーと、
一端が前記装置本体の固定ピンに掛止され、前記閉止部品を前記軸の周りに付勢する前記付勢手段の他端が掛止される掛止ピンとを有し、
前記第２のレバーの前記駆動爪を回動して前記駆動レバーを押動し、前記閉止部品を前記付勢手段に抗して回動駆動することにより、前記閉止爪から前記閉止リブを解除するように前記オープンつまみを設けた
ことを特徴とするディスク装置。
【請求項４】
請求項２に記載のディスク装置において、
前記伝達手段は、
一端に前記オープンつまみが配設され、他端に第２のレバーに係合される第１のレバーと、
前記第１のレバーと係合する一端と第３のレバーと係合する他端を有し、略中央に回動軸が設けられる第２のレバーと、
前記第２のレバーと係合する一端と駆動爪を有する他端を有し、略中央に回動軸が設けられる第３のレバーとを有し、
前記閉止部品は、
前記閉止部品の軸の周りに、前記閉止リブに係合する閉止爪と、前記駆動爪に係合する駆動レバーと、
一端が前記装置本体の固定ピンに掛止され、前記閉止部品を前記軸の周りに付勢する前記付勢手段の他端が掛止される掛止ピンとを有し、
前記第２のレバーを介して前記第３のレバーの前記駆動爪を回動して前記駆動レバーを押動し、前記閉止部品を前記付勢手段に抗して回動駆動することにより、前記閉止爪から前記閉止リブを解除するように前記オープンつまみを設けた
ことを特徴とするディスク装置。
【請求項５】
請求項３に記載のディスク装置において、
前記閉止部品の前記付勢手段による前記軸周りの付勢の方向を、前記蓋体が開の状態と閉の状態では反対とし、前記閉止部品の回動の途中で切り替るように構成した
ことを特徴とするディスク装置。
【発明の詳細な説明】
【技術分野】
【０００１】
本発明は、例えば、光ディスク又は光磁気ディスクに記録及び／又は再生するポータブルなディスク装置に関し、特にディスクの着脱のために蓋体を有するディスク装置において、その蓋体のオープン機構に関する。
【背景技術】
【０００２】
従来、ポータブルなディスク記録装置又は再生装置が、各種実用化されている。例えば、光ディスク又は光磁気ディスクをカートリッジに収納したミニディスクと称されるディスクを使用して、オーディオデータなどを記録又は再生するディスク記録装置又は再生装置がある。なお、以下の説明では、ディスク記録装置とディスク再生装置を総称して、単にディスク装置と述べる。
【０００３】
図１４及び図１５は、従来のミニディスクと称されるディスクを使用したディスク装置の一例を示した図である。図１４及び図１５に示すように、例えば略直方体の上部が蓋体１１１、下部が装置本体１１２とされ、奥側面１１２ｂに設けられた図示しないヒンジで蓋体１１１が回動自在とされる。そして、蓋体１１１の装置本体１１２への閉止はヒンジとは反対側の前側面１１２ａに設けられる閉止手段により行われる。
この閉止手段は、蓋体１１１に設けられる閉止リブ１１１ａと装置本体１１２の側に設けられる閉止爪１１３とからなり、蓋体１１１が閉止しているときは、図１５に示すように、閉止リブ１１１ａと閉止爪１１３とは係合した状態となっている。
【０００４】
そして、オープンつまみ１１４を横にスライドすることにより装置本体１１２の側に設けられる閉止爪１１３も一緒にスライドして閉止リブ１１１ａから閉止爪１１３が外れ、ヒンジに組み込まれている図示しないばねにより蓋体１１１が開状態とされる。
また、蓋体１１１を閉じるときは、蓋体１１１自体を押し込む。このとき、蓋体１１１自体を押すことで、先ず、閉止リブ１１１ａの先端の傾斜面１１１ｂと閉止爪１１３と先端の傾斜面１１３ａとが接し、さらに押し込むことで閉止リブ１１１ａの傾斜面１１１ｂを閉止爪１１３が滑ってスライドし、スライドしきったところで瞬時に係合し、図１５に示す蓋体１１１が閉止した状態となる。
【０００５】
また、従来知られているこの種のディスク装置の蓋体のオープン機構の他の例としては、特許文献１に開示されているようなものがある。この特許文献１には、蓋体開閉のためのオープンつまみと閉止手段が、ヒンジのある側面の対面でなく、隣の側面に設けられたものが開示されている。
【特許文献１】特開平７−７３５６２号公報（図７）
【発明の開示】
【発明が解決しようとする課題】
【０００６】
しかしながら、特許文献１あるいは図１４及び図１５例に開示されているディスク装置１１０の蓋体１１１のオープン機構は、閉止爪１１３とオープンつまみ１１４は略一体に構成され、蓋体１１１をがたなく閉止するためには、閉止リブ１１１ａと閉止爪１１３からなる閉止手段をできるだけヒンジから遠い位置に配置する必要がある。このため、オープンつまみ１１４を蓋体１１１の開口部付近に配設せざるを得なかった。
このように、従来のディスク装置のオープンつまみを配置する位置は限られていたため、必ずしも使い易い位置に配置されているとは言えなかった。
本発明はかかる点に鑑み、ディスク装置の側面のどの面にもオープンつまみを設けることができるようにし、操作性の優れたディスク装置を提案することを目的とする。
【課題を解決するための手段】
【０００７】
上記課題を解決し、本発明の目的を達成するため、本発明は、ディスク収納部の蓋体が、装置本体の一側面に設けたヒンジを支点として回動することで開閉するディスク装置において、装置本体の一側面とは異なる他側面に設けた閉止手段と、この閉止手段を設けた他側面とは異なる側面に配置され、蓋体を閉止から開放するオープンつまみとを備えたものである。
【０００８】
このように構成した本発明のディスク装置によれば、オープンつまみを使い易い位置に配置できる。
【発明の効果】
【０００９】
本発明によれば、ディスク収納部の蓋体が、装置本体の一側面に設けたヒンジを支点として回動することで開閉するディスク装置において、装置本体の一側面とは異なる他側面に設けた閉止手段と、この閉止手段を設けた他側面とは異なる側面に配置され、蓋体を閉止から開放するオープンつまみとを備えたので、オープンつまみを使い易い位置に配置でき、操作性の優れたディスク装置とすることができる。
【００１０】
この場合、閉止手段として、蓋体の側に設けられる閉止リブと装置本体の側に設けられる閉止部品とからなり、装置本体の閉止部品とオープンつまみとを伝達手段で連係し、オープンつまみの操作が、伝達手段を介して閉止部品に伝えられて蓋体を閉止状態から解除することで、蓋体の閉止が、蓋体に設けた閉止リブと装置本体に設けた閉止部品とが係合して行われ、閉止部品をオープンつまみの操作により駆動することで係合を解除し、蓋体の開状態とすることができる。
【００１１】
また、伝達手段として、一端にオープンつまみが配設され他端に第２のレバーに係合される第１のレバーと、この第１のレバーと係合する一端と駆動爪を有する他端を有し、略中央に回動軸が設けられる第２のレバーとを有し、閉止部品として、閉止部品の回動軸の周りに、閉止リブに係合する閉止爪と、駆動爪に係合する駆動レバーと、一端が装置本体の固定ピンに掛止され、閉止部品を回動軸の周りに付勢する付勢手段の他端が掛止される掛止ピンとを有し、第２のレバーの駆動爪を回動して駆動レバーを押動し、閉止部品を付勢手段に抗して回動駆動することにより、閉止爪から閉止リブを解除するようにオープンつまみを設けたことで、オープンつまみを操作することで第１のレバーが第２のレバーを回動駆動し、この第２のレバーの回動により第２のレバーの駆動爪が閉止部品の駆動レバーを回動駆動し、このとき、閉止部品の閉止爪も回動駆動されるため蓋体を開状態とすることができる。
【００１２】
また、伝達手段として、一端にオープンつまみが配設され、他端に第２のレバーに係合される第１のレバーと、この第１のレバーと係合する一端と第３のレバーと係合する他端を有し、略中央に回動軸が設けられる第２のレバーと、この第２のレバーと係合する一端と駆動爪を有する他端を有し、略中央に回動軸が設けられる第３のレバーとを有し、閉止部品として、閉止部品の回動軸の周りに、閉止リブに係合する閉止爪と、駆動爪に係合する駆動レバーと、一端が装置本体の固定ピンに掛止され、閉止部品を回動軸の周りに付勢する付勢手段の他端が掛止される掛止ピンとを有し、第２のレバーを介して第３のレバーの駆動爪を回動して駆動レバーを押動し、閉止部品を付勢手段に抗して回動駆動することにより、閉止爪から閉止リブを解除するようにオープンつまみを設けたので、オープンつまみを操作することで第１のレバーが第２のレバーを介して第３のレバーを回動駆動し、この第３のレバーの回動により第３のレバーの駆動爪が閉止部品の駆動レバーを回動駆動し、このとき、閉止部品の閉止爪も回動駆動されるため蓋体を開状態とすることができる。
【００１３】
また、閉止部品の付勢手段による軸周りの付勢の方向を、蓋体が開の状態と閉の状態では反対とし、閉止部品の回動の途中で切り替るように構成したことで、オープンつまみによる開操作の途中あるいは蓋体の閉止操作の途中で閉止部品への付勢方向が変わるため、僅かの操作距離で閉止爪の確実な動作を行なわせることができる。
【発明を実施するための最良の形態】
【００１４】
以下、本発明の一実施の形態の例を図１〜図１３を参照して説明する。
【００１５】
先ず、本例のディスク装置の全体の形状を図５及び図６を参照して説明する。
本例のディスク装置は、直径６４ｍｍ程度の光ディスク又は光磁気ディスクをカートリッジに収納したミニディスクと称されるディスクが装着されて、そのディスクへの記録又は再生を行うものである
図５は、ディスク装置の蓋体が閉の状態であり、図６は蓋体が開の状態の外観斜視図を示している。図６に示すように、ディスク装置１０の蓋体１１を開状態とすることでディスク（図示せず）の着脱が行え、記録又は再生を行う際には、図５に示すように蓋体１１を閉状態とする。
図５及び図６に示す本例のディスク装置１０は、オープンつまみ１４を矢印Ａで示す方向に回動させる回動式とし、図５及び図６に示す図示しないヒンジが設けられる奥側面１２ｂと閉止爪１３が設けられる前側面１２ａの間の側面１２ｃに設けたものである。
【００１６】
このディスク装置１０は、図５及び図６に示すように、略直方体の上部が蓋体１１、下部が蓋体１１との境界に矩形枠状のメインフレーム２０を有する装置本体１２とからなり、このメインフレーム２０に回動するオープンつまみ１４を設けている。そして、図６に示すように、奥側面１２ｂに設けられた図示しないヒンジで蓋体１１が回動自在とされ、蓋体１１の装置本体１２への閉止はヒンジとは反対側の前側面１２ａに設けられる閉止手段により行われる。
そして、装置本体１２のオープンつまみ１４を回動することにより閉止手段が開放されヒンジに組み込まれている図示しないばねにより蓋体１１が開状態となり、蓋体１１自体を押し込むことで蓋体１１を閉止の状態とする。
なお、このディスク装置１０では、メインフレーム２０は、矩形枠の外周面が光沢研磨され、図５及び図６に示すように、外周面が蓋体１１と装置本体１２との境界に帯状に露呈するように配される。また、このディスク装置１０では、主要な操作は装置本体１２に接続される図示しないリモートコントロール装置により行い、図５に示すように、蓋体１１及び装置本体１２の外面には一部の操作ボタンだけを配設するようにしてある。
【００１７】
次に、本例のディスク装置１０の蓋体１１のオープン機構について図１〜図４，図７〜図１２を参照して説明する。
図１〜図４は、図６に示すディスク装置１０から、蓋体１１と、装置本体１２のディスク駆動機構及びバッテリなどを除き、メインフレーム２０とこのメインフレーム２０に組み込まれるオープン機構を示したものである。また、図７〜図１２は、オープン機構の動作説明図である。
ここで、図１及び図２は、図５に示す蓋体１１が閉止の状態であり、図１はメインフレーム２０の図示の手前側を大きく切り除いてオープン機構の概要を示した斜視図である。図２は蓋体１１に設けられる閉止リブ１１ａと装置本体１２側の閉止爪１３とが係合し蓋体１１が閉止している状態を説明する要部拡大斜視図である。
また、図３及び図４は、図６に示す蓋体１１が開の状態であり、図３はメインフレーム２０の図示の手前側を大きく切り除いて機構の概要を示した斜視図であり、図４は蓋体１１に設けられる閉止リブ１１ａが装置本体１２側の閉止爪１３との係合から開放され、蓋体１１が開いている状態を説明する要部拡大斜視図である。
図７は、オープン機構の分解斜視図である。図８及び図９は、オープンつまみ１４のメインフレーム２０に対する組み込み状態を説明する斜視図である。また、図１０は、後述するレバー２２と変換レバー２３との係合状態を示す要部拡大斜視図である。また、図１１は後述する変換レバー２３と閉止部品２５の動作を説明するための後述する取付板２１の正面図で、図１１Ａは取付板２１単体（図７参照）であり、図１１Ｂは閉止部品２５の閉止爪１３が閉の状態であり、図１１Ｃ及びＤは閉止爪１３が開放状態を示す図である。さらに、図１２は、蓋体１１の閉止リブ１１ａと閉止部品２５の係合状態を説明する斜視図であり、図１２Ａはオープンつまみ１４を押下してから手を離した状態、図１２Ｂは蓋体１１の閉操作の第１の過程、図１２Ｃは蓋体１１の閉操作の図１２Ｂに続く第２の過程、図１２Ｄは蓋体１１の閉操作の図１２Ｃに続く第３の過程で閉止爪１３が閉止リブ１１ａと係合した状態を示すものである。
【００１８】
オープン機構は、図７に示すように、オープンつまみ１４、取付板２１、レバー２２、変換レバー２３、付勢手段（ねじりコイルバネ）２４、閉止爪１３をもつ閉止部品２５、及びこれらが組み込まれるメインフレーム２０などから構成されている。
オープンつまみ１４は、図７及び図８に示すように、閉じた扇子形状をなしプラスチック成型や金属の削り出しなどで形成されるもので、表面及び側面が滑らかにされ、裏面の略中央に軸１４ａと、この軸１４ａを挟んで２つのねじ孔を設けた突起１４ｃ，１４ｄと、この軸１４ａに対しオープンつまみ１４の端１４ｅの側にシャフト１４ｂが一体に立設されている。
【００１９】
取付板２１は、図７に示すように、弾性のある細長い板金を、短辺の面２１-1と長辺の面２１-2との間に狭小な面２１-3を設けるように曲げ加工して略Ｌ字状に形成されるものである。なお、面２１-3は、短辺の面２１-1と長辺の面２１-2に、それぞれ略４５°をなすように形成される。
そして、長辺の面２１-2側には図７及び図１１Ａに示すように、３つの軸挿通孔２１ａ-1，２１ａ-2，２１ａ-3と３つの折り曲げ加工部２１ｂ-1，２１ｂ-2，２１ｂ-3と１つの略矩形の孔２１ｃが形成される。３つの折り曲げ加工部２１ｂ-1，２１ｂ-2，２１ｂ-3のそれぞれには、固定ねじの挿通孔が設けられる。また、略矩形の孔２１ｃには僅か突出するように曲げ加工された突起２１ｃ-1が設けられる。
【００２０】
レバー２２は、図７及び図８に示すように、弾性のある板金を曲げ加工して形成されるもので、先細り形状のレバー部２２-1と、オープンつまみ１４に固定するための２つのねじ挿通孔２２ｃ，２２ｄを設けた固定部２２-2とを一体に形成し、固定部２２-2をレバー部２２-1に対して略９０°に折り曲げた形状としている。そして、レバー部２２-1は、根元の折り曲げ付近に孔２２ａを設け、端に向けて板幅を小さくなるようにし、図７及び図１０に示すように、先端部を僅かに折り曲げ、先端に細長い突起２２ｂを形成する。
変換レバー２３は、図７に示すように、略菱形の板金で略中央に孔２３ａを設け、一端に矩形の孔２３ｂ、他端に細長い突起２３ｄを設け、この突起２３ｄの先端を折り曲げて駆動爪２３ｃを設ける。なお、変換レバー２３には、取付板２１の２つの折り曲げ加工部２１ｂ-1，２１ｂ-2との干渉を避けるための略扇形の孔２３ｅ-1，２３ｅ-2が設けられる。
【００２１】
閉止部品２５は、図２，図４及び図７に示すように、回動の中心となる孔２５ａの周りに閉止爪１３と駆動レバー２５ｂとストッパー２５ｄとばねの掛止ピン２５ｃとが設けられて構成されている。
閉止爪１３は、図２及び図７に示すように、孔２５ａの半径方向に鶴の頭状に形成した突起であり、孔２５ａの回りに回動したとき閉止リブ１１ａと係合するように、くちばしの下に凹部が設けられる。
駆動レバー２５ｂは、図７及び図１１Ｂに示すように、孔２５ａの半径方向に略台形状に形成した突起であり、図２に示す蓋体１１が閉の状態で駆動レバー２５ｂの下部が取付板２１の突起２１ｃ-1に当接するようになされる。また、駆動レバー２５ｂは、図４に示す蓋体１１が開の状態から、閉止リブ１１ａが押し込まれたとき、駆動レバー２５ｂの先端を閉止リブ１１ａの下面が押下し、回動させることができるような形状に形成される。
【００２２】
ストッパー２５ｄは、図７及び図１１Ｂに示すように、閉止爪１３とは孔２５ａに対して略反対側に設けられ、孔２５ａの半径方向に僅かに隆起させた突起であり、図４に示す蓋体１１が開の状態でストッパー２５ｄが取付板２１の突起２１ｃ-1に当接するようになされる。
ばねの掛止ピン２５ｃは、図７及び図１１Ｂに示すように、駆動レバー２５ｂの孔２５ａに対して略反対側に設けられ、孔２５ａの半径方向に形成した突起にばねを掛止するためのピンを立設したものである。
メインフレーム２０は、図５に示すように、装置本体１２の側面を構成する矩形状の枠であり、図６に示すように、メインフレーム２０の前側面１２ａに閉止爪１３が配され、この閉止爪１３が配設される前側面１２ａとは別の側面１２ｃにオープンつまみ１４が設けられる。そして、図１及び図３に示すように、矩形状の枠の内側にオープン機構が組み込まれる。
【００２３】
このように構成されるオープン機構の取付板２１への部品の取付けを説明する。取付板２１は、図７に示すように、先ず、変換レバー２３の孔２３ａを取付板２１に設けられている孔２１ａ-1に合わせ、リベット状の支点軸２７ａを挿通して先端をかしめ、変換レバー２３を回動自在にするとともに取付板２１から外れないように固定する。なお、このとき、図１〜図４に示すように、取付板２１の曲げ加工部２１ｂ-1，２１ｂ-2が変換レバー２３の孔２３ｅ-1，２３ｅ-2から突設される。
つぎに、閉止部品２５の孔２５ａを取付板２１の孔２１ａ-2に合わせ、図１及び図２に示すように、リベット状の支点軸２７ｂを挿通して先端をかしめ、閉止部品２５を回動自在にするとともに取付板２１から外れないように固定する。
【００２４】
次に、図１及び図２に示すように、固定ピン２７ｃを取付板２１の孔２１ａ-3に合わせて挿通し、先端をかしめて立設するとともに取付板２１から外れないように固定する。
それから、取付板２１に立設された固定ピン２７ｃと閉止部品２５の掛止ピン２５ｃとにねじりコイルバネ２４の両端を掛止する（図１１Ｂ及びＣ参照）。なお、このねじりコイルバネ２４は、両端が掛止されたとき掛止ピン２５ｃと固定ピン２７ｃとの距離を大きくするように、圧縮ばねとしての付勢力をもつ形状としたものである。
【００２５】
オープン機構のオープンつまみ１４とレバー２２は、図８及び図９に示すように、四角枠状のメインフレーム２０の一側辺を間に挟んで内側にレバー２２、外側にオープンつまみ１４が配される。そして、メインフレーム２０のオープンつまみ１４が配される領域には、オープンつまみ１４の裏面に設けられている軸１４ａ、シャフト１４ｂ、２つの突起１４ｃ，１４ｄを挿通するための挿通孔２０ａ，２０ｂ，２０ｃ，２０ｄが設けられる。そして、オープンつまみ１４の回動の軸１４ａが挿通される孔２０ａのみを、径を軸１４ａより僅かに大きな円形の孔で形成し、他の孔２０ｂ，２０ｃ，２０ｄは、オープンつまみ１４の回動で円弧状に移動できるように長孔に形成する。
【００２６】
このオープンつまみ１４の裏面に設けられている軸１４ａ、シャフト１４ｂ、２つの突起１４ｃ，１４ｄをメインフレーム２０に設けられた孔２０ａ，２０ｂ，２０ｃ，２０ｄにそれぞれ挿通し（図９参照）、レバー２２の固定部２２-2をオープンつまみ１４に固定する。このとき、図８に示すように、メインフレーム２０の内側に突出したオープンつまみ１４裏面のシャフト１４ｄ、突起１４ｃ，１４ｄのうち、先ず、シャフト１４ｂをレバー２２の孔２２ａに挿通する。それからオープンつまみ１４のねじ孔が設けられた突起１４ｃ，１４ｄに、レバー２２のねじ挿通孔２２ｃ，２２ｄを合わせてねじ２８，２８で固定する。このとき、図８及び図９に示すように、メインフレーム２０とレバー２２との間に圧縮コイルバネ２６を配設する。
このレバー２２の組み込み状態では、オープンつまみ１４はレバー２２と固定されているため、圧縮コイルバネ２６により軸１４ａの周りに常に図９に示す矢印の時計方向に付勢されるようになされる。
【００２７】
このオープンつまみ１４とレバー２２が組み込まれたメインフレーム２０に、図１及び図３に示すように、取付板２１が組み込まれる。すなわち、取付板２１の曲げ加工部２１ｂ-1，２１ｂ-2，２１ｂ-3に設けられているねじ挿通孔の上から、メインフレーム２０の図示しないねじ穴にねじを螺入し取付板２１を固定する。
このとき、図１０に示すように、レバー２２先端の細長い突起２２ｂを変換レバー２３の一端の孔２３ｂに挿通するようになされる（図１及び図３参照）。
【００２８】
次に、このように構成される本例のディスク装置のオープン機構の動作を図１，図２，図４〜図６，図８〜図１３を参照して説明する。
【００２９】
以下、蓋体１１が図５に示す閉止の状態から蓋体１１が図６に示す開の状態とするときの各部の動作について図１，図２，図４〜図６，図８〜図１１を参照して説明する。
なお、以下の説明で、図１１Ｂ〜Ｄで閉止部品２５の回動の軸をなす支点軸２７ｂの中心と、取付板２１に立設されねじりコイルバネ２４の一端を掛止する固定ピン２７ｃの中心とを通る直線を直線Ｌとする。
【００３０】
先ず、図５に示す蓋体１１が閉止の状態（図１１Ｂ参照）では、オープンつまみ１４の端１４ｅは解放状態で、図９に示す圧縮コイルバネ２６により、レバー２２は図１及び図１０に示すように、上の位置に保たれている。そして、レバー２２の先端の突起２２ｂに係合している変換レバー２３の孔２ｂも上の位置に保たれ、変換レバーの他端の駆動爪２３ｃは、図２及び図１１Ｂに示すように、下の位置に配されている。この閉止の状態のとき、閉止部品２５は掛止ピン２５ｃに掛止されたねじりコイルバネ２４で支点軸２７ｂの時計回りに付勢されており、取付板２１の略矩形の孔２１ｃに設けられた突起２１ｃ-1に閉止部品２５の駆動レバー２５ｂが係止される。
このとき、直線Ｌに対して、閉止部品２５の掛止ピン２５ｃが直線Ｌの上側に配される。
【００３１】
次に、蓋体１１が閉止の状態（図１１Ｂ参照）のとき、オープンつまみ１４の端１４ｅを図５に示す矢印方向に押下したまま（図１１Ｃ参照）にする。
このオープンつまみ１４の押下操作により、オープンつまみ１４自体が図８に示す軸１４ａの回りに反時計方向に回動し、オープンつまみ１４のシャフト１４ｂが挿通されているレバー２２の孔２２ａを軸１４ａの回りに回動させ、レバー２２全体が軸１４ａの回りに回動動作することになる。なお、このとき、オープンつまみ１４の端１４ｅを押下は、図９に示す圧縮コイルバネ２６に抗してなされる。
このオープンつまみ１４の押下操作により、レバー２２の先端の突起２２ｂを図２に示す上の位置から、図４に示す下の位置に下方に移動させる。
そして、図１１Ｃに示すように、レバー２２の先端の突起２２ｂと係合している孔２３ｂを介して変換レバー２３を支点軸２７ａの回りに時計回りに駆動し、他端の駆動爪２３ｃを上昇させ、駆動爪２３ｃと係合する駆動レバー２５ｂを反時計回りに回動させる。この結果、閉止爪１３を含む閉止部品２５全体が支点軸２７ｂの回りに反時計方向に回動し、図１１Ｃに示すように、ストッパー２５ｄが取付板２１の突起２１ｃ-1に当接し、蓋体１１が開となる位置で回動が停止する。
なお、図１１Ｃに示す蓋体１１が開となる閉止部品２５の回動位置では、ねじりコイルバネ２４の一端が掛止される掛止ピン２５ｃが直線Ｌに対して図示の下側に配され、これにより閉止部品２５は、支点軸２７ｂに対して矢印方向の反時計回りに付勢される。
【００３２】
この閉止部品２５の蓋体閉止の位置（図１１Ｂ）から蓋体開の位置（図１１Ｃ）までの回動過程では、ねじりコイルバネ２４の一端が掛止される掛止ピン２５ｃが直線Ｌに対して図示の上側から下側に移動する。そして、掛止ピン２５ｃが直線Ｌに対して図示の上側から下側に越えた瞬間に、閉止部品２５に対するねじりコイルバネ２４の付勢の方向が時計回りから反時計回りに切り替るようになされる。
【００３３】
そして、一端、閉止爪１３が開の位置（図１１Ｃ参照）になると、変換レバー２３を図１１Ｄに示すように反時計回りに回動しても閉止爪１３は開の位置を保ったままとなり、閉止爪１３が設けられている閉止部品２５自体を時計回りに回動させない限り図１１Ｂに示す蓋体１１が閉の位置に復帰させることができないようになされる。
すなわち、閉止部品２５は、図１１Ｂに示す閉の位置又は図１１Ｃに示す開の位置の、２つの位置のうち一方しかとり得ないように構成されている。このため、図１１Ｂに示す変換レバー２３の先端の孔２３ｂが上位置で閉止部品２５が閉の位置のときだけ、オープンつまみ１４の図１に示す矢印の方向の押下操作が有効となり、閉止部品２５の閉止爪１３を開の位置とすることができる。
なお、変換レバー２３の回動の角度は、取付板２１の曲げ加工部２１ｂ-1，２１ｂ-2が挿通される変換レバー２３の孔２３ｅ-1，２３ｅ-2の上下方向の開口幅により決められる。また、閉止部品２５へのねじりコイルバネ２４の付勢方向が、支点軸２７ｂに対して時計回りから反時計回りあるいは逆に切り替るのは、掛止ピン２５ｃが直線Ｌ上に載っているときで固定ピン２７ｃと掛止ピン２５ｃの距離が最短のときである。
【００３４】
次に、閉止爪１３と閉止リブ１１ａとの係合が解除された図４に示す状態（図１１Ｃ参照）で、オープンつまみ１４から手を離すと、図９に示す圧縮コイルバネ２６の付勢力によりレバー２２は元の上の位置に戻され、先端の突起２２ｂも図１に示す上の位置に戻されるとともに変換レバー２３の駆動爪２３ｃは下方に回動し、閉止部品２５は、図１１Ｄ及び図１２Ａに示す状態となる。
そして、図１１Ｄ及び図１２Ａに示すように、閉止爪１３を含む閉止部品２５は開の位置で、レバー２２と変換レバー２３だけがオープンつまみ１４を押下する前の状態に復帰する。
通常は、この図１１Ｄに示す閉止爪１３の開の位置（図４参照）で、蓋体１１をさらに開いて図６に示す全開状態とし、図示しないディスクを挿抜、あるいは交換する。
【００３５】
以下、蓋体１１が図６に示す全開の状態から蓋体１１が図５に示す閉止の状態とするときの各部の動作について図５，図６，図１１及び図１２を参照して説明する。このとき、オープンつまみ１４への操作はなく蓋体１１のみの操作でなされる。
【００３６】
先ず、図６に示す蓋体１１が全開の状態から蓋体１１を僅か押し込み、閉止リブ１１ａを閉止爪１３に近づけて図１２Ａに示す状態とする。このとき、変換レバー２３と閉止部品２５は図１１Ｄに示す位置に配される。
そして、図１２Ａに示す状態から蓋体１１をさらに押し下げ、閉止リブ１１ａの下面を駆動レバー２５ｂの上面と接触させ、図１２Ｂに示す状態とする。
この図１２Ａから図１２Ｂに示す状態までは、オープンつまみ１４の押下はないので変換レバー２３の駆動爪２３ｃは略下端で、閉止部品２５は開の位置である。また、固定ピン２７ｃと支点軸２７ｂを結ぶ直線Ｌに対して、閉止部品２５の掛止ピン２５ｃは下側に配される。このときも未だ、変換レバー２３と閉止部品２５は図１１Ｄに示す位置に配される。
【００３７】
次に、図１２Ｂに示す状態からさらに蓋体１１を押し下げて閉止リブ１１ａの下面で駆動レバー２５ｂの上面を押し下げ、図１２Ｃの状態とする。
図１２Ｂから図１２Ｃに示す状態までの駆動レバー２５ｂの押し下げの操作は、反時計回り方向に付勢しているねじりコイルバネ２４の付勢力に抗してなされ、閉止部品２５自体が時計回りに回動させられる。
この図１２Ｂから図１２Ｃに示す状態までの過程では、閉止部品２５が回動するためこの閉止部品２５に設けられている掛止ピン２５ｃも回動し、直線Ｌに近づいているものの、まだ直線Ｌの下側に配されたままである。
【００３８】
次に、図１２Ｃに示す状態からさらに蓋体１１を押し下げて閉止リブ１１ａの下面で駆動レバー２５ｂの上面を押し下げ図１２Ｄの状態とする。
この図１２Ｃから図１２Ｄに示す状態までは、固定ピン２７ｃと支点軸２７ｂを結ぶ直線Ｌに対して、閉止部品２５の掛止ピン２５ｃは上側の位置から下側の位置に配されるようになり、閉止部品２５への付勢方向が反時計回りから時計回りへと切り替る。
そして、掛止ピン２５ｃが直線Ｌを越えた瞬間に、閉止爪１３がねじりコイルバネ２４の付勢力によって閉止リブ１１ａに係合するように閉じ、図５に示す蓋体１１が完全に閉じた状態となる。このとき、変換レバー２３と閉止部品２５は図１１Ｂに示す位置に配されるものとなる。
【００３９】
このように構成された本例のオープン機構によれば、図５及び図６に示すように、オープンつまみ１４を装置本体１２の、蓋体１１の開閉ヒンジが設けられる奥側面１２ｂと閉止部品２５が設けられる前側面１２ａの間の側面１２ｃに設けることができ、蓋体１１の開閉操作を支障なく行うことができる。
【００４０】
なお、本例の閉止部品２５は、図１３Ａに示すように、閉止爪１３が閉止リブ１１ａと係合せずに閉止の位置にあっても、蓋体１１の閉止リブ１１ａを押下することで閉止爪１３に閉止リブ１１ａを係合させることができる。
すなわち、蓋体１１を押し下げると閉止爪１３の傾斜面１３ａに閉止リブ１１ａが当接するが、さらに蓋体１１を押し下げると閉止リブ１１ａは蓋体１１に固定され動けないため、閉止爪１３の方がその傾斜面１３ａで閉止リブ１１ａと接しながら支点軸２７ｂの周りに反時計回りに回動し、図１３Ｂに示す状態となる。
そして、この図１３Ｂの状態から僅か蓋体１１を押し込むことにより閉止爪１３に閉止リブ１１ａが係合した図１２Ｄに示す状態となり、図５に示す蓋体１１が閉の状態とすることができる。
【００４１】
このように構成された本例のディスク装置によれば、複数のレバーを適宜組合わせることによりオープンつまみ１４の配置をディスク装置本体の任意の側面に設けることができ、装置本体の側面におけるオープンつまみのレイアウト上の制約がなくなるため、操作性の優れたディスク装置とすることができる。
【００４２】
なお、ここまで説明した図１〜図１３例ではオープンつまみ１４を図５に示す装置本体１２の側面１２ｃに設けたが、蓋体１１の開閉ヒンジが設けられる奥側面１２ｂに設けるようにしてもよい。
【００４３】
例えば、装置本体１２のメインフレーム２０の奥側面１２ｂに組み込まれるオープンつまみ１４とレバー２２とを、図１〜図１３例とは回動の方向を逆とし、また開閉ヒンジと干渉しないように設ける。すなわち、オープンつまみ１４とレバー２２を、図１〜図１３例とは略線対称となるような形状に形成し、メインフレーム２０に対して上下逆方向となるように、奥側面１２ｂのメインフレーム２０の内側に配設する。
また、装置本体１２の側面１２ｃのメインフレーム２０の内側に、側面１２ｃの内法（うちのり）と略同じ長さで略中央に回動の支点軸を設け、両端には、変換レバー２３の先端の孔２３ｂと同等の孔と、レバー２２の先端の突起２２ｂと同等の突起とを回動の支点軸に対称に配設した、レバー２２及び変換レバー２３とは別の第３のレバーを設ける。
さらに、装置本体１２の前側面１２ａのメインフレーム２０の内側に、図１〜図１３例と同様に、閉止部品２５と変換レバー２３を設ける。
これらの部品は、コの字状に折り曲げ加工された取付板に配設されてから、第３のレバーの一端の孔にレバー２２の先端の突起２２ｂを挿通し、他端の突起に変換レバー２３の先端の孔２３ｂを挿通した状態で、図１〜図１３例と同様の仕方で取付板とともにメインフレーム２０に組み込む。
【００４４】
このように構成することで、蓋体１１が閉止した状態で装置本体１２の奥側面１２ｂに設けられたオープンつまみ１４を押し上げると、この奥側面１２ｃのレバー２２が押し上げられ、第３のレバーを介して変換レバー２３の先端の孔２３ｂを押し下げる方向に駆動することができる。
【００４５】
また、上述した実施の形態の例では、オープンつまみ１４を押したとき、閉止部品２５の閉止爪１３が支点軸２７ｂの反時計方向に回動されて閉止リブ１１ａとの係合が開放されるように設けたが、閉止爪１３を時計方向に回動したときに閉止リブが開放されるようにすることも容易に実施できるものである。すなわち、オープンつまみ１４の回動方向、あるいは閉止部品２５が閉止リブ１１ａとの係合から開放される方向もメインフレーム２０に配するレバーの数を適宜なものとすることにより所望の方向にすることができる。
【００４６】
また、レバー２２の付勢用のばねに圧縮コイルバネ２６を用いたが、この代わりにエラストマー樹脂などの高弾性をもつゴム素材を配してもよいのは勿論である。
さらに、閉止部品２５の付勢ばねにねじりコイルバネ２４を用い、圧縮ばね作用をもつように組み込んだが、閉止部品２５での掛止ピン２５ｃの配設位置を変えることにより引張りばねとして組み込むこともできる。また、ねじりコイルバネに限らず、他の引張りばね、圧縮ばねの作用をもつ弾性体でもその両端を掛止する固定ピンと掛止ピンの位置を適宜とすることにより同様の機能をもたせることができる。
【００４７】
本発明のディスク装置は、上述例に限ることなく本発明の要旨を逸脱することなく、その他種々の構成をとりうることは勿論である。例えば、上述例ではミニディスクと称されるディスク用のディスク装置に適用したが、その他の規格のディスク装置にも適用可能である。
【図面の簡単な説明】
【００４８】
【図１】本発明の一実施の形態によるオープン機構の例が組み込まれた飾り帯の一部切欠き斜視図である（蓋体閉の状態）。
【図２】本発明の一実施の形態によるオープン機構の例の閉止リブと閉止爪との係合状態の要部拡大斜視図である（蓋体閉の状態）。
【図３】本発明の一実施の形態によるオープン機構の例が組み込まれた飾り帯の一部切欠き斜視図である（蓋体開の状態）。
【図４】本発明の一実施の形態によるオープン機構の例の閉止リブと閉止爪との係合解除状態の要部拡大斜視図である（蓋体開の状態）。
【図５】本発明の一実施の形態によるオープン機構が組み込まれるディスク装置の例の蓋体が閉の状態での外観斜視図である。
【図６】本発明の一実施の形態によるオープン機構が組み込まれるディスク装置の例の蓋体が開の状態での外観斜視図である。
【図７】本発明の一実施の形態によるオープン機構の例の分解斜視図である。
【図８】本発明の一実施の形態によるオープン機構の例のオープンつまみの飾り帯への組み込み状態の要部拡大斜視図である。
【図９】本発明の一実施の形態によるオープン機構の例のオープンつまみの飾り帯への組み込み状態の要部拡大斜視図である。
【図１０】本発明の一実施の形態によるオープン機構の例のレバーと変換レバーとの係合状態を示す要部拡大斜視図である。
【図１１】本発明の一実施の形態による取付板の長辺の面の正面図であり、Ａは取付板単体、Ｂは閉止状態、Ｃ及びＤは閉止爪が開放状態である。
【図１２】本発明の一実施の形態による閉止リブと閉止爪の係合を示し、Ａは蓋体開操作後オープンつまみを放した直後、Ｂは閉止リブが閉止爪に接した状態、Ｃは閉止リブが閉止爪を押し込んでいる途中の状態、Ｄは閉止リブと閉止爪とが係合した状態である。
【図１３】本発明の一実施の形態による閉止爪が閉止位置にある状態での閉止リブと閉止爪との係合を示し、Ａは閉止リブが閉止爪に接した状態、Ｂは閉止リブと閉止爪とが係合する直前の状態である。
【図１４】従来のディスク装置の例の外観斜視図である。
【図１５】従来のディスク装置の例の外観正面図である。
【符号の説明】
【００４９】
１１…蓋体、１１ａ…閉止リブ、１２…装置本体、１３…閉止爪、１４…オープンつまみ、２２…レバー、２２ｂ…突起、２３…変換レバー、２３ｂ…孔、２３ｃ…駆動爪、２４…ねじりコイルバネ、２５…閉止部品、２５ｂ…駆動レバー
【図１】
2005285269.tif 000003
【図２】
2005285269.tif 000004
【図３】
2005285269.tif 000005
【図４】
2005285269.tif 000006
【図５】
2005285269.tif 000007
【図６】
2005285269.tif 000008
【図７】
2005285269.tif 000009
【図８】
2005285269.tif 000010
【図９】
2005285269.tif 000011
【図１０】
2005285269.tif 000012
【図１１】
2005285269.tif 000013
【図１２】
2005285269.tif 000014
【図１３】
2005285269.tif 000015
【図１４】
2005285269.tif 000016
【図１５】
2005285269.tif 000017